(57)【要約】  屈折率に関連する収差を補正する光学素子(1)は、電極配置(2,12)と共に供される流体チャンバ(5)を有し、第1の導電性流体(B)、第2の非導電性流体(A)及び両流体の界面(14)を有する。両流体はそれぞれ異なるアッベ数を有する。電圧を電極配置に印加することで、エレクトロウエッティング力が生じ、界面形状を変化させ、補正力を決定する。
2007531043.tif 000002
【特許請求の範囲】
【請求項１】
光学系における屈折率に関連する収差を補正する光学素子であって、
電極配置と共に供される流体チャンバ、
第1の導電性流体、
第2の非導電性流体、及び、
前記流体間の界面、
を有し、
前記流体のアッベ数はそれぞれ異なり、
前記素子の補正力は、前記電極配置に印加される電圧によって発生するエレクトロウエッティング力による制御が可能で、
前記補正力は前記界面の形状を変化させる、
ことを特徴とする光学素子。
【請求項２】
前記第1流体及び前記第2流体は実質的に同一の屈折率を有することを特徴とする、請求項1に記載の光学素子。
【請求項３】
前記第1流体と接続する第1電極、及び、
前記流体内壁上に備えられている第2電極、
を有する、請求項1又は2に記載の光学素子。
【請求項４】
前記流体に面する前記流体内壁は絶縁層によって被覆されていることを特徴とする、請求項3に記載の光学素子。
【請求項５】
前記絶縁層は疎水性層によって被覆されることを特徴とする、請求項4に記載の光学素子。
【請求項６】
前記絶縁層は疎水性であることを特徴とする、請求項4に記載の光学素子。
【請求項７】
前記第1流体は食塩水で、かつ、前記第2流体は油であることを特徴とする、請求項1から6のうちのいずれか1つに記載の光学素子。
【請求項８】
レンズ系及び受像ユニットを有する撮像装置であって、前記レンズ系は、請求項1から7のうちのいずれか1つに記載の光学素子を有することを特徴とする撮像装置。
【請求項９】
請求項8に記載の撮像装置を有するカメラ。
【請求項１０】
請求項9に記載のカメラを有するハンドヘルド装置。
【請求項１１】
携帯電話であることを特徴とする、請求項10に記載のハンドヘルド装置。
【請求項１２】
情報層を走査する光ヘッドであって、
走査ビームを供する放射光源ユニット、
前記情報層に前記走査ビームを集光させる光学レンズ系、及び、
前記情報層からの走査放射ビームを電気信号に変換する感光性検出ユニット、
を有し、
前記レンズ系が請求項1から6までのうちのいずれか1つに記載の光学素子を有することを特徴とする光ヘッド。
【発明の詳細な説明】
【技術分野】
【０００１】
本発明は、光学系での屈折率に関連する収差を補正する光学素子に関する。
【０００２】
本発明はまた、そのような素子を有する光学系にも関する。
【背景技術】
【０００３】
屈折率に関連する収差とは、以下のような収差を含むものと理解されている。1つは、光学素子を構成する材料の屈折率の波長依存性に起因する収差で、もう1つは温度変化のような環境パラメータの変化に伴う屈折率変化に起因する収差である。前者は、色収差として知られている。
【０００４】
光学系には多くの異なる型があって良い。そして光学系は、たとえばカメラ、顕微鏡又は光記録キャリアを走査する光ヘッドのような多数の用途に用いられるレンズ系を有する。
【０００５】
そのような光学系において、二以上の波長を有する放射線が使用される場合、色収差が発生し、それは光学系の性能に重大な悪影響、つまり系の性能低下を及ぼす。たとえば、色収差が十分に補正されていない結像系は、たとえば電子センサ上に、構成要素(sub-image)の色が各異なることによってそれらの焦点が一致しない像が生成される。この結果像全体としてはぼやけた像になってしまう。
【０００６】
光記録の領域、つまり光ヘッドの手段による光記録キャリアの情報層からのデータ読み取り及び情報層へのデータ書き込みでも、それに固有の問題が発生する。そのようなヘッドにおいて、405nmオーダーの波長を有するレーザービームを放出する青色ダイオードレーザーを使用する場合、走査スポットを情報層に生成することが可能で、その情報スポットは、従来の赤色ダイオードレーザーが生成することのできる走査スポットよりもかなり小さい。青色ダイオードレーザーと共に供される光ヘッドを用いて、情報の詳細を読み取ることができる。その情報量は、赤色ダイオードレーザーを有する従来の光ヘッドで読み取ることのできる情報量よりも実質的に小さい。よって、光記録に青色ダイオードレーザーを使用することで、光記録キャリアの情報密度を実質的に増加させることが可能となる。青色レーザー記録では、比較的大きな開口数(NA)たとえば0.45、を有する対物系が使用されるべきである。そのような対物系は温度変化による屈折率変化に敏感なため、そのような変化を補償する手段を有していなければならない。
【特許文献１】国際公開第03/069380号パンフレット
【特許文献２】米国特許第5446591号明細書
【発明の開示】
【発明が解決しようとする課題】
【０００７】
従来、色収差は、ダブレット(doublet)として知られる2重レンズユニットの手段によって解決されてきた。ダブレットは、構成する材料の屈折率が第1の波長依存性を示す第1レンズ素子、及び、構成する材料の屈折率が、第1波長依存性と反対の特性である第2の波長依存性を示す第2レンズ素子で構成される。色収差を補正する他に考えられる既知の方法は、結像用屈折性レンズ素子と、屈折性レンズ素子とは反対の波長依存性を示す回折素子とを組み合わせることである。
【０００８】
色収差を補正する既知の方法は、比較的コストがかかるため、結果としてその方法を使用する系全体のコストが増大する。しかも既知の方法は他の光学収差を導入してしまうかもしれない。既知の方法に由来する色収差補正素子は専用素子、つまり特別に設計された光学系にのみ適するものである。
【０００９】
よって、安価で小型で、しかも異なる光学系での使用が可能で、特別に光学系を設計しなくてすむように調節ができる収差補正素子が必要となる。
【課題を解決するための手段】
【００１０】
本発明の目的は、そのような全体として小型でかつ低コストの色収差補正素子の提供である。この素子は、電極配置と共に供される流体チャンバを有し、第1の導電性流体、第2の非導電性流体及び流体間の界面を有し、流体のアッベ数はそれぞれ異なり、素子の補正力(corrective  power)は電極配置に印加される電圧によって発生するエレクトロウエッティング力による制御が可能で、その補正力は界面形状を変化させることを特徴とする。
【００１１】
素子はエレクトロウエッティングの原理を用いる。可変焦点レンズでのエレクトロウエッティングについては特許文献1で説明されている。表面の下にある電極に電位が供給されるとき、この表面はエレクトロウエッティングになり、液体のうちの一は表面によって引きつけられる。それにより、二の液体の界面形状すなわち曲率が変化する。液体がそれぞれ異なるアッベ数を有するので、素子の色に関する振る舞いは変化する。素子電極間の電圧を制御することで、素子の色に関する振る舞いを制御し、かつ素子が用いられている光学系に適合させることができる。光学材料のアッベ数はその材料の屈折率の波長依存性の指標である。材料のアッベ数νは、ν=(Nd-1)/(Nf-Nc)で与えられる。ここで、Nd、Nf及びNcは、特定スペクトル線での材料の屈折率で、d=587.6nm、f=486.1nm及びc=656.3nmである。
【００１２】
特許文献1に従った可変焦点レンズでは、エレクトロウエッティング力はレンズの光パワーを変化させるのに用いられ、流体間の屈折率差はレンズの光パワーを最大にするように可能な限り大きくする。十分なパワー変化を発生させるには、比較的大きな電圧を電極間に印加しなくてはならない。本発明の補正素子は原則として光パワーを有しておらず、流体の屈折率は互いに近い値であることが好ましい。色補正に関しては、液体の界面形状をわずかに変化させるだけでよいから、駆動電圧は可変焦点レンズよりもかなり小さくなる。
【００１３】
特許文献2が、固体素子の色収差を補正するため、固体ガラスレンズ素子と組み合わせた液体レンズ素子の使用について開示している。しかし液体素子は、一の液体しか有していないため、色特性を変化させる二の液体の界面変化を使用できない。特許文献2のレンズは他の原理を用い、本発明の素子とは別な構造を有する。
【００１４】
本発明の素子は、第1流体及び第2流体が実質的に同一の屈折率を有することを特徴とするのが好ましい。
【００１５】
たとえ本発明の素子が流体間の界面が曲がることで必要な色収差補正を提供するとしても、素子の光パワーはゼロのままである。本発明の素子は既存の系の再設計をすることなく、その系に挿入することが可能である。
【００１６】
本発明の光学素子の実用的実施例は、光学素子が、第1流体に接続する第1電極及び流体チャンバ内壁に備えられている第2電極を有するという特徴を有する。
【００１７】
この実施例はさらに、流体に面している流体チャンバ内壁が絶縁層によって被覆されていることを特徴として良い。
【００１８】
流体がチャンバ壁の留まるべきではない場所で留まるのを防ぐため、光学素子は、絶縁層が疎水性層によって被覆されていることを特徴として良い。
【００１９】
あるいはその代わりに、素子は、絶縁層が疎水性であることを特徴としても良い。
【００２０】
光学素子は、第1流体が食塩水で、第2流体が油であることを特徴とすることが好ましい。
【００２１】
エレクトロウエッティングレンズに用いられるこれらの液体は、補正素子に非常に適している。
【００２２】
本発明はまた、レンズ系及び受像ユニットを有する撮像装置に関しても良い。この装置は、レンズ系が上述の光学素子を有することを特徴とする。
【００２３】
そのような撮像装置を有するカメラでは、本発明はまた、そのようなカメラが本発明の一部を形成するように実装される。
【００２４】
本発明はまた、そのようなカメラを有するハンドヘルド装置にも関する。
【００２５】
そのようなハンドヘルド装置は携帯電話であって良い。
【００２６】
本発明はまた、走査ビームを提供する放射光源ユニット、情報層に走査ビームを集光させる光学レンズ系、及び、情報層からの走査放射ビームを電気信号に変換する感光性検出ユニットを有する、情報層を走査する光ヘッドにも関する。この光ヘッドは、レンズ系が上述の光学素子を有することを特徴とする。
【実施例】
【００２７】
本発明のこれら及び他の態様は、以降で説明する実施例を参照しながら、非限定的例示によって明らかになる。
【００２８】
図1で図示された素子1は、毛管を形成する円柱状の第1電極2を有する。この管は透明な前面素子4及び透明な背面素子6によって密閉され、二の流体A及びBを含む流体チャンバ5を形成する。電極2は管3の内壁に塗布された導電性コーティングであって良い。
【００２９】
流体は、二の非混和性液体から構成される。二液体の状態は、油のような絶縁性第1液体A及び、食塩水を含む水のような導電性液体Bである。レンズが流体の配向に独立して、つまり、液体間の重力の影響に依存することなく機能するように、二液体の密度は等しいことが好ましい。
【００３０】
電極2は、たとえばパリレンのような絶縁層8でコーティングされる。この層は、流体がチャンバ壁に留まるのを防ぐ疎水性層10によってコーティングされる。
【００３１】
第2の環状電極12は、それが第2流体Bに作用するように、流体チャンバ5の少なくとも一部で、背面素子に隣接して備えられている。
【００３２】
界面14によって分離されることで、二の流体が二の容積を形成するように、二の流体A,Bは非混和性である。二の流体はそれぞれ異なるアッベ数を有する。流体の屈折率は可能限り互いに近い値であることが好ましい。
【００３３】
素子が中間的な状態をとっているときでは、たとえば電極2と電極12との間に電源16からの電圧が印加されない場合、界面14はまっすぐ、つまり図1の破線14で図示されているように曲がっていない。この状態では、素子1は、光軸OO’に沿って垂直に入射する放射線bを、ビーム波面を変化させることなく通過させる、厚い上面平行板と見なすことができる。電極2と電極12との間に電圧が印加される場合、電極2によってエレクトロウエッティング力が発生する。エレクトロウエッティングのため、第2液体Bによる層10の濡れ性は、特許文献1で説明した方法と同様の方法で変化する。それにより、3相線、つまり層10と二流体A及びBとの間の接触線、での界面の接触角が変化する。その結果、界面形状は変化する、つまり図1の実線14’のように界面はわずかに曲がる。活性化状態、つまり電極2と電極12との間に電圧が印加される状態では、素子は曲面を有し、もはや光学的に中立にはならない。界面の両側での液体がそれぞれ異なるアッベ数を有し、かつ界面が曲がっているため、素子は波長変化に敏感になる。換言すれば、素子は、光学系内の他の素子の色分散特性の補償に使用できる色分散素子となる。
【００３４】
この素子が光学系に及ぼす影響は、非常に概略的ではあるが図2a及び図2bに図示されている。光学系は、単一レンズ素子22で表されるレンズ系、光軸OO’及び焦点面24を有する単純な光学系である。本発明に従った補正素子1は、レンズ系22前方に備えられている。このレンズ系は色収差を示す。これは、それぞれが異なる波長を有するビームbの成分が異なる軸上の位置で集光されることを意味する。これらのビーム成分は、実線で描かれている境界光線26及び、破線で描かれている境界光線28で表されている。
【００３５】
補正素子が機能しない場合、つまり界面14がまっすぐな場合、ビーム成分の1つ26は点30つまり焦点面内で集光する一方で、もう1つのビーム成分28が焦点面24の外部にある点32で集光する。焦点面では、光軸に垂直でかつ、図2aの図面に垂直な方向において、レンズ系22が設計されている波長のビーム成分の1つ26は点状スポット34を生成する一方で、ビーム成分28は円状スポットを生成する。これらのスポットは図2aの右側部分に図示されている。図2bで図示されているように、補正素子が機能している場合つまり必要なだけ界面が曲がっている場合、この素子は色収差を導入する。この様子は、界面での光線28が偏向することによって示されている。素子1の電極間に適切な電圧を印加することで、この素子によって導入される色収差はレンズ系22の色収差を補償する。図2bの右側で図示されているように、ビーム成分は面24で集光され、この面では、同一のスポット34及び36’が生成される。
【００３６】
たとえ図2a及び図2bで（簡明を期すため）、相互にシフトしているビーム成分26及び28の境界光線が図示され、これらがそれぞれ異なる高さでレンズ系を通過するとしても、実際には、これらのビーム成分の境界光線は一致し、同一高さでレンズ系22を通過する。
【００３７】
図2a及び図2bのレンズ系の実用的な実施例では、この系はBK7型ガラスで作製された単一平凸レンズ素子を有し、凸面の曲率半径は6mmである。界面が-9.67mmに等しい曲率半径を有する場合、このレンズ素子の色収差を補償することが可能である。第1の絶縁性液体はデカメチルシクロペンタシロキサン型の油であって良く、これは屈折率N=1.398及びアッベ数V=55.5を有する。第2の導電性流体は、屈折率N=1.38及びアッベ数V=38.0を有する食塩水であって良い。
【００３８】
素子1の収差補正力は素子電極間に印加される電圧によって決定されるので、この力は、素子が用いられている光学系に対して容易に適応させることが可能である。このようにして、多くの異なる光学系での使用が可能なフレキシブル素子が得られる。たとえば液体のような、流体A及び流体Bを選択できることにより、界面の屈折力つまりは補正素子の光パワーが無視できるため、この素子は、光学系を再設計せずに、この系に挿入することができる。
【００３９】
補正素子は非常にコンパクトであって良いので、小型撮像装置に適している。そのような装置の原理は図3に図示されている。撮像装置40は対物レンズ系42を有する。対物レンズ系42は、光軸OO’を有し、たとえば1つ以上の非球面又は二のレンズ素子44及び46を有する単一の両凸レンズ素子であって良い。装置40は、受像ユニット48をさらに有する。受像ユニット48、対物系の左側で、対物系42によって生成される情景又は物体の像を受像する。ユニット48はCCDセンサ又はCMOSセンサのような電気光学センサであって良いし、写真フィルムであっても良い。対物系前方又は後方には、図1で説明された補正素子が備えられている。この素子は、撮像装置が色分散を有さず、有色像に適するように、対物系の色収差を補償する。
【００４０】
撮像装置は従来方法のように、たとえば自動フォーカスシステムのような制御モジュール及び、デジタルカメラの場合であれば像処理モジュールのようなカメラモジュールによって完成させることができる。
【００４１】
カメラは小型カメラであって良い。小型カメラはハンドヘルド装置に含まれて良い。図4は、本発明が実装されているカメラを含むハンドヘルド装置の例を図示している。装置は携帯電話50であって、その前面像が図4に図示されている。携帯電話は、ユーザーの音声をデータとして入力するマイクロホン52、通信する相手の声を出力する拡声器54及び、通信波を伝送及び受信するアンテナ56を有する。携帯電話はさらに、ユーザーがダイアルする電話番号のような情報を入力する手段である入力ダイアル58及び、たとえば液晶ディスプレイパネルのようなディスプレイ60を有する。このパネルは、ユーザーの通信相手の写真の表示、又は、データ及びグラフィックスの表示に使用することが可能である。入力データ及び受信データを処理するため、データ処理ユニット（図示されていない）が携帯電話に含まれる。
【００４２】
携帯電話は、上述の色収差補正素子を有する小型カメラ62と共に供されている。このカメラでは、第1光学素子の前面のみが図示されている。第1光学素子は対物レンズの補正素子であって良い。この方向における携帯電話の大きさが十分であれば、対物レンズ、補正素子及び像センサのようなカメラの素子は、携帯電話前面に垂直な線、つまり図4の面に垂直な方向に沿って配置されて良い。あるいはその代わりに、カメラは、カメラ光路の実質的部分が携帯電話の前面に平行になるように、1つ以上の可倒式(folding)ミラーと共に供されて良い。そのときには、携帯電話は比較的薄くて良い。
【００４３】
本発明に従った可変レンズが使用可能な他のハンドヘルド装置は、たとえば携帯情報端末(PDA)、ポケットコンピュータ及び電子玩具のような小型カメラが内蔵されているようなものである。
【００４４】
本発明はまた、ウエブカメラ、インターホンシステム用カメラ並びに、たとえばデジタルカメラのようなポケットサイズ及び他のサイズのカメラのような非組み込みカメラで実装することも可能である。カメラがフィルムを使用するか、又は電子センサを使用するのかは、本発明には関係ない。
【００４５】
補正素子は走査用光ヘッド80にも有利に使用することが可能である。走査とはつまり、光記録キャリア70の読み取り及び/又は書き込みであって、記録キャリア及び光ヘッドは図5にその断面が図示されている。記録キャリアはたとえば、円盤形状の記録キャリアであって、情報層74が備えられている面とは反対側の面に透明層72を有する。透明層72の反対側に面している情報層の面は保護層76によって、外部環境の影響から保護されている。光ヘッド80に面する透明層の面は光侵入面(entrance  face)78と呼ばれる。透明層72は記録キャリア70の基板として機能し、情報層74を機械的に支持する。
【００４６】
あるいはその代わりに、機械的支持は情報層の反対面上にある層、たとえば保護層76又は、情報層74と接続するさらなる情報層及び透明層によってなされる一方で、透明層72は、情報層74を保護する保護する唯一の機能を有して良い。
【００４７】
情報は記録キャリアの情報層74中に、実質的に平行、同心に又は螺旋状トラックに配列した、光学的に検出可能な印の形式で保存されて良い、図示されていないが。印は如何なる光学的に読み取り可能な形式であって良い。たとえば、ピット、周囲とは異なる反射係数若しくは磁化方向有する領域、又はこれらの組み合わせの形式であって良い。
【００４８】
光ヘッド80は放射ビーム84を放出する放射光源82を有する。放射光源は半導体レーザー又はダイオードレーザーであることが好ましい。ビームスプリッタ86は、発散ビーム84をコリメーションレンズ88へ向けて反射する。コリメーションレンズ88は、発散ビーム84をコリメーションビーム89に変換する。コリメーションビーム89は対物レンズ系90へ入射する。ここでは対物レンズ系90は単一レンズ素子として表されているが、複数のレンズ素子及び/又は回折格子を有しても良い。対物レンズ系904は光軸98を有する。対物レンズ系は、対物レンズ82及び平凸レンズ94を有する。対物レンズ及び平凸レンズは対物ホルダ96に含まれる。対物レンズはコリメーションビーム89を、レンズ94に入射する集束ビーム100に変換する。このレンズは、ビーム100を集束ビーム102に変換する。集束ビーム102の焦点は情報層74中に位置する。
【００４９】
レンズ94は対物レンズ92に面する凸面及び、記録キャリアに面する平面を有する。記録キャリアに面する面はスリット106によって記録キャリアからの間隔が設けられている。対物レンズ92は単一レンズ素子として図示されているが、複数のレンズ素子及び/又は回折格子を有しても良い。また、コリメーションレンズ88も複数のレンズ素子を有して良い。
【００５０】
光ヘッドにコリメーションレンズを使用することで、物体つまり放射光源82の発光面及び像つまり走査スポットは無限遠方で共役であって、対物系はコリメーションビームを受光する。コリメーションレンズはまた、発散ビームが対物系に入射するように、系から除外されても良い。系内にコリメーションレンズを含めることで、対物系の設計はより容易になる。
【００５１】
データの読み取り及び書き込み中、記録キャリアは、情報層中の情報トラックが走査されるように、モーター120によって軸122の周りを回転する。走査スポット104及び記録キャリアを図面に垂直な方向に互いに移動させることで、すべての同心円又は全螺旋トラックが走査される。この移動は、当該方向に移動するそりのような荷台(sled)上の対物系を少なくとも有する光ヘッド又はその一部を備えることで実現可能となる。
【００５２】
記録データの読み取り中では、情報層によって反射される放射ビーム102は、連続する情報マーク中の情報によって変調される。この放射線はビームスプリッタ86へ戻り、その一部はビーム110として感光性検出ユニット112へ向かって通過する。このユニットは、入射放射線を電気信号に変換する。これらの信号のうちの1つは情報層112中で情報を表し、記録キャリアから読み出される。別な信号は、焦点エラー信号116で、情報層74に対する走査スポットの軸変位を表す。周知方法によって生成可能なこの信号は、焦点サーボ回路118の入力信号として使用可能である。焦点サーボ回路は、走査スポットの軸位置を情報層の面と一致させるように、対物系用のアクチュエータ（図示していない）を駆動する。ユニット112によって供給される別な信号は、トラックエラー信号（図示していない）で、これは走査スポットの中心と時々刻々と読まれるトラックの中心線との差異を表す。複数の周知方法によっても生成することが可能なこの信号は、トラックサーボ回路の入力信号として使用可能である。トラックサーボ回路は、トラックスポットの中心位置を読まれるトラックの中心線の面と一致させるように、トラックアクチュエータを駆動する。
【００５３】
情報層にデータを書き込むために、放射光源によって供給されるビーム84の強度が書き込まれるデータに従って変調される。書き込み中、読み取り中と同一のサーボシステムを使用することも可能である。
【００５４】
図5の実施例の対物系90は特に、非常に高い情報密度を有する記録キャリアを走査するのに使用される。そのような記録キャリアを走査するには、対物系の最後の素子からのビームはたとえばNA=0.85のような非常に高い開口数を有していなければならない。対物レンズ92及び平凸レンズ94を有する対物系90は、そのよう高開口数を与える。平凸はグライダー上に備えられて良く、グライダーは記録キャリア上を滑るように移動する、又はグライダー面と記録キャリアとの間の空気クッションの上を滑るように移動して良い。そのような対物系のレンズ素子は大抵の場合、球面収差のような収差を補正するための1つ以上の非球面を有する。
【００５５】
コストの観点では、対物系のレンズ素子は透明プラスチックで作製される、又はプラスチックの非球面層と共に供されるガラス体で構成されるのが好ましい。しかし、そのようなレンズ系は温度変化に敏感である。特に、温度変化による屈折率変化はそのようなレンズ系の性能変化を引き起こしてしまう。この問題は、0.85程度の開口数を有するレンズ系では顕著である。
【００５６】
本発明に従うと、この問題は、上述の補正素子1をそのようなレンズ系の光路中に備えることで解決することが可能である。図6は、図5の光ヘッドの一部を図示している。ここでは、補正素子1はコリメーションレンズと対物系との間に挿入され、素子は原則として光パワーを有しておらず、屈折率変化のみ補正するだけである。
【００５７】
温度変化もまた、たとえば表面曲率の変化又はレンズ素子の厚さ変化のような、対物系の素子形状変化を引き起こす場合、各異なる屈折率を有する流体A及び流体Bが含まれることで、ある程度の補正光パワーが素子1中に生じてしまう恐れがある。上記形状変化はレンズ系の性能変化に影響する。
【００５８】
本発明はまた、温度変化に悩まされている、0.85より小さな開口数を有する光走査ヘッドにも使用できる。そのような光ヘッドの対物系は図5及び図6で図示された対物レンズ92のみで構成されて良い。対物レンズはたとえば、ただ1つの両非球面レンズ素子、又は多数のレンズ素子を有して良い。
【００５９】
本発明は、ハンディサイズのカメラ及び光ヘッドについて説明してきた。これらは典型的にはコンシューマー向けの機器である。しかし、本発明はまた、光学顕微鏡及び望遠鏡のような専門家向けの装置、及びこれらの装置を単純な方法で改善した他の光学装置にも使用可能である。
【図面の簡単な説明】
【００６０】
【図１】本発明に従った補正素子の実施例の断面を図示している。
【図２ａ】補正素子がどのようにして色収差を補正するのかを図示している。
【図２ｂ】補正素子がどのようにして色収差を補正するのかを図示している。
【図３】補正素子を有する撮像装置を図示している。
【図４】本発明が実装されているカメラを有する携帯電話を図示している。
【図５】補正素子を使用することが可能な光ヘッドの実施例を図示している。
【図６】補正素子を有する光ヘッドの光路の一部を図示している。
【図１】
2007531043.tif 000003
【図２ａ】
2007531043.tif 000004
【図２ｂ】
2007531043.tif 000005
【図３】
2007531043.tif 000006
【図４】
2007531043.tif 000007
【図５】
2007531043.tif 000008
【図６】
2007531043.tif 000009
【国際調査報告】
2007531043.tif 000010
2007531043.tif 000011
2007531043.tif 000012